(57)【要約】【課題】空調されている室内の環境を、室外空気の取り入れにて換気を行う際、紫外線を照射し除菌した外気の取り入れとして衛生的な換気をさせることのできる空気調和機を提供する。【解決手段】室内機１の熱交換器６の前方に設けられた、吸い込まれる空気を除菌する紫外線発光部１１を利用して、換気のため室内に取り入れる外気のその吹き出し口２３を前記紫外線発光部の前方に位置させて、除菌後の外気により衛生的な換気をさせるようにする。【選択図】  図１
2005048975.tif 000002
【特許請求の範囲】
【請求項１】
適時換気用ファンを運転して屋外空気の給気を行い室内を換気させる換気装置を備えた空気調和機において、
前記空気調和機における室内機内部の熱交換器の前方に、吸い込まれる空気を除菌する紫外線発光部を設け、換気のため前記換気用ファンにて室内に取り入れる屋外空気のその吹き出し口を前記紫外線発光部の前方に位置させたことを特徴とする空気調和機。
【発明の詳細な説明】
【０００１】
【発明の属する技術分野】
本発明は、室内空気の排気と外気の取り入れを行う換気のための換気装置を具備し、特に外気を殺菌して取り入れることにより、より快適な室内環境とすることのできる空気調和機に関する。
【０００２】
【従来の技術】
今日、室内の壁に分離型空気調和機の室内機を配し、室内空気を室内機内部のファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来より空気調和機に換気装置を備えるものが提案されている。例えば、室内機の側部に正転、逆転可能な渦流ファンを備えた換気用送風機を設け、渦流ファンの正逆転切り換えにより室内空気の排気と外気の給気を行い換気させるようにした空気調和機（特許文献１）や、ファンモーターの左右両軸に設けたシロッコファンのうち一方が排気用導風路内に収容され、他方のシロッコファンが給気用導風路に収容された送風機を内装した換気ユニットを室内機の近傍に設け、片方のシロッコの回転により室内空気を排気用導風路から屋外へ排気し、同時に他方のシロッコファンの回転により外気を給気用導風路から室内へ取り入れて換気を行うよう成した換気装置（特許文献２）などである。
【０００４】
【特許文献１】
【特開２０００−１９３２６９号公報】
【特許文献２】
【特許第２６２９６６５号】
【０００５】
【発明が解決しようとする課題】
しかし、これら特許文献１および特許文献２による換気装置では、室外空気を室内に取り入れて換気する場合に、外気をそのまま取り入れているので、外気中や或いはその中の塵埃に含まれる雑菌なども一緒に入り込み、衛生性が悪いという面があった。
【０００６】
本発明は上記点に鑑みなされたもので、外気を室内に取り入れ換気し、室内環境を良好に維持する空気調和機において、外気を室内機に設けられている紫外線発光部を通過させた後に室内に吹き出させて、除菌、また脱臭された外気を取り込むことにより、衛生性を高めた換気が行えるように図った空気調和機を提供することを目的とする。
【０００７】
【課題を解決するための手段】
上記目的を達成するために、本発明は適時換気用ファンを運転して屋外空気の給気を行い室内を換気させる換気装置を備えた空気調和機において、前記空気調和機における室内機内部の熱交換器の前方に、吸い込まれる空気を除菌する紫外線発光部を設け、換気のため前記換気用ファンにて室内に取り入れる外気のその吹き出し口を前記紫外線発光部の前方に位置させたものである。
【０００８】
【発明の実施の形態】
以下、本発明の実施形態を図面に基づき説明する。
【０００９】
図１は、屋外に臨む位置に配した換気用ファンにて、外気を室内機の熱交換器の前面部近辺に換気ダクトを介して導き吹き出させ、外気導入により換気させる場合の実施形態を示している。また図２は換気装置を具備した室内機を示す。
【００１０】
まず分離型空気調和機は、室外に設置される室外機（図示せず）と、この室外機と冷媒管１８により接続されて室内の壁に設置される壁掛型室内機（以下室内機と略す。）１とにより構成され、これら室外機と室内機１とを冷媒が循環するようになっている。
【００１１】
室内機１のケース５は、前面側の前ケース部３と、この前ケース部３の前部に設けられ室内の空気の吸込口を備えた吸込パネル２と、背面側の後ケース部４とで構成されている。
【００１２】
またケース５の中には室内の空気を加熱／冷却する熱交換器６が吸い込みパネル２の背後に配設され、冷媒がその配管７内を通過することにより、冷房／除湿運転時に冷却器として機能し、暖房運転時には加熱器として機能するものである。
【００１３】
またケース５の内部には、熱交換器６の後方に送風ファン（クロススローファン）８が設けられ、該送風ファン８により室内の空気が吸込パネル２から吸い込まれ、熱交換器６で加熱／冷却されて冷風／温風が再び室内に吹き出され循環する。熱交換器６は、送風ファン８を包むように概略「く」字状に形成されて、熱交換器６を小型化しても熱交換率が低下しないようになっている。
【００１４】
また熱交換器６と吸込パネル２との間には、送風ファン８により吸引される室内の空気の比較的大きな塵を除去するエアフィルタ（図示せず）が設けられている。さらにエアフィルターの背後には、エアフィルタを通過した空気の比較的細かい塵を除去する空気清浄フィルタ１０が設けられている。
【００１５】
また１１は前記空気清浄フィルター１０と熱交換器６の前面部分との間に配置された紫外線発光部にして紫外線ランプを有する。空気清浄フィルター１０を通過し熱交換器６へと入る空気に対してこの紫外線ランプから紫外線を照射させて、紫外線による除菌作用を与え、空気中の雑菌を除去させる。これにより熱交換器６には除菌された空気が通り抜け、衛生的な熱交換空気による空気調和が行われる。
【００１６】
また前記熱交換器６の下端部には、該熱交換器６で結露して滴下するドレン水を溜め排出するためのドレンパン９が設けられている。またケース５の下端部には熱交換後の空気、すなわち冷風／温風が送風ファン８により加速され室内に吹き出される吹出口（図示せず）が形成されていると共に、この吹出口には風向変更器（図示せず）が設けられ、吹き出す空気の方向を設定できるようにされている。
【００１７】
さて、２０は長時間室内機１を運転し空調を行った後に運転されて、外気（室外空気）を室内に吸い込み換気をさせるための換気用ファンである。これにより汚染した室内環境を改善することができる。該換気用ファン２０は、屋外に設けられる。具体的には室内機１を取り付けている家屋の壁（図示せず）の外に換気用ファン２０は配置される。換気用ファン２０は、厚みの薄い略円筒形状のファンケース部１３内にモータとシロッコファンとが収容されている構造である。シロッコファンは厚みが薄い構造のものなので、換気用ファンとしてシロッコファンを使用した換気装置であれば、屋外に設けても分厚く目立つような設置にはならず、外観的にも良くすることができる。
【００１８】
前記換気用ファン２０はそのシロッコファンが回転すると、ファンケース部１３の片面側に開けた円形の吸込開口１４より室外空気が吸い込まれた後、ファンケース部１３の一端部に設けた吹出部１５より勢いよく吹き出される。
【００１９】
２１は吸い込まれた外気を室内機１内へと導びくための換気ダクトである。該換気ダクト２１はその一端の開口１７ａを換気用ファン２０の前記吹出部１５に接続し、換気用ファン２０をぶら下がった格好で取り付けている。そして該換気ダクト２１は部屋壁を挿通し室内機１の背面へと引き入れられた後、室内機１の背面に沿って引き入れ口とは反対側へ向かって水平に延ばされ、その先端で直角に曲げられて室内機１の内部へと引き込まれように配管されている。
【００２０】
また換気ダクト２１は、室内機１内部では図２に示すように室内機１の片側側面近傍に併設した扁平ダクト２２と連結されている。そして該扁平ダクト２２の先端は矩形状をした屋外空気の吹出口２３に形成され、該吹出口２３が前記紫外線発光部１１の外側付近に位置している。すなわち図１に示すように、紫外線発光部１１より例えばＬ寸法分、前方の位置で開口するように設けられている。この換気用ファン２０と扁平ダクト２２を含む換気ダクト２１により換気装置が構成されている
【００２１】
ところで、空調運転が暫く続いたら適宜な時点で、換気用ファン２０すなわちシロッコファンを運転する。シロッコファンの回転により室外空気がファンケース部１３の吸込開口１４から吸い込まれ、吹出部１５から換気ダクト２１を通ってその先の扁平ダクト２２の吹出口２３から室内（屋内に）に吹き出される。そして吹出口２３から吹き出された外気は、送風ファン（クロスフローファン）８にて熱交換器６の内側に吸い込まれ、その後室内空気と共に室内機１の吹出口から室内に吹き出されて循環する。
【００２２】
ここで屋外（室外）空気を室内へと吹き出すその吹出口２３は、紫外線発光部１１より前方に位置するものとなっているので、換気ダクト２１を通してこの吹出口２３から吹き出した外気が、送風ファン（クロスフローファン）８により熱交換器１内へと吸い込まれる直前で紫外線の照射を受ける。これにより外気中の雑菌が除菌される。このように熱交換器６に入り込む空気を除菌させるように熱交換器１の前方に設けている紫外線発光部１１を利用して、換気のため取り入れる外気も除菌するようにしたので、換気用の屋外空気（外気）は清浄な空気となって熱交換器６を通過後室内に送風されるようになる。これによって、外気が取り入れられても室内環境を衛生的に保って換気を行なわせることができ、かつ改善することができる。
【００２３】
なお、図２において、室内機１には冷媒配管１８や電源コードおよび制御系の伝送ライン等が室内機１へと前記換気ダクト２１が入れられた側で配設されている。
【００２４】
また屋外に露出する冷媒配管１８には矩形状の箱型をした冷媒配管カバー２４を被せて保護する。そしてさらにこの冷媒配管カバー２４を利用して、換気用ファン２０もこのカバー２４内に配させる。これにより、換気用ファン２１を雨風や塵埃から保護し、また悪戯などで損傷されないように防止することができると共に、換気用ファン２０がカバー２４で隠され露顕しないので、外観的に良くすることもできる。なお、冷媒配管カバー２４の前面部には、換気用ファン２０の吸込開口１４に対応させてスリット構造やフィルター構造の吸い込み口２５を形成し、多量に塵埃や異物が吸い込まれないようにフィルターの役目をさせるようにする。また冷媒配管カバー２４の後面部上部には、冷媒配管１８や換気ダクト２１を引き出せるように挿通孔２５を形成して、そこから冷媒配管１８や換気ダクト２１をカバー後方へ引き出し容易に配管できるようにする。また冷媒配管カバー２４の内壁に換気用ファン２０を固定するための固定棒２６を設け、換気用ファン２０のファンケース部１３の端部に設けた取付部２７の孔に前記固定棒２６を嵌通して、換気用ファン２０を動かないようしっかりと取り付けることができるようにしている。
【００２５】
なお、実施例では室外空気を室内に取りいれる換気用ファンとして、シロッコファンを使用したものとして説明したが、これに限らず様々な構造、タイプの換気用ファンを使用できることは言うまでもない。
【００２６】
【発明の効果】
本発明によれば、空気調和機に設けた換気装置のその屋外空気の室内への吹き出し口を、室内熱交換器の風上側に配した紫外線発光部の手前側位置に、例えばその外側近傍に配置することにより、取り込んだ外気が紫外線の照射を受け除菌作用を行われた後の屋外空気が室内に吹き出されて換気がされるようにしたので、衛生的な換気となる。
【図面の簡単な説明】
【図１】本発明に係る換気のため取り入れた外気を紫外線で除菌させるための換気装置の構成部を拡大して示した要部構成斜視図。
【図２】本発明に係る、換気用ファンにて外気を除菌して取り入れるようにした室内機の構成斜視図。
【符号の説明】
１            室内機
２            吸い込みパネル
６            熱交換器
８            送風ファン
１１          紫外線発光部
１４          吸込開口
１５          吹出部
２０          換気用ファン
２１          換気ダクト
２３          吹出口
【図１】
2005048975.tif 000003
【図２】
2005048975.tif 000004